(57)【要約】【課題】スピーカの振動板が突き破られてスピーカが警報手段としての機能を失い、その後の遊技機に対する不正行為を防止可能な遊技機を提供する。【解決手段】スロットマシンは、これに対して不正行為が行われると警報音を出力するスピーカ４３の前方に、振動板４４に向かって針金等の異物が挿入されたか否かを検知する異物挿入検知装置５０を備える。この装置は、支持体５１の内部に回動自在に支持される回動板５３と、これが上下方向に延びる通常位置Ｐｎから所定角度を超えて回動したか否かを検出する回動検出器とを備える。この検出器は、回動板５３の通常位置Ｐｎからの回動角度を検出する回動センサと、この検出信号に基づいて回動板５３が通常位置Ｐｎから所定角度を超えて回動したか否かを検知し、回動板５３が所定角度を超えて回動したことを検知するとスピーカ４３に向かって異物が挿入された旨の検知信号を出力する検知部とを有する。【選択図】図４
2009101065.tif 000002
【特許請求の範囲】
【請求項１】
振動板を振動させて前面から音を出力するスピーカを備えた遊技機であって、
前記スピーカの前方から前記振動板に向かって異物が挿入されたか否かを検知する異物挿入検知手段を有し、
前記異物挿入検知手段は、前記振動板の前方に回動可能に支持されて前記スピーカの前面を覆う通常位置で保持される回動板と、前記回動板が前記通常位置から所定角度を超えて回動したか否かを検出する回動検出手段とを備えることを特徴とする遊技機。
【請求項２】
前記異物挿入検知手段の前記回動板は、前記スピーカから発生した音を通すとともに針金等の細長い異物を引っ掛けるメッシュ状の孔を多数有していることを特徴とする請求項１に記載の遊技機。
【発明の詳細な説明】
【技術分野】
【０００１】
本発明は、振動板を振動させて音を出力するスピーカを備えた遊技機に関する。
【背景技術】
【０００２】
スロットマシンやパチンコ機等の遊技機では、遊技中の演出効果を高めるための効果音や不正行為が行われたことを報知するための警報音が一般的に使われており、これらの音を発生するためのスピーカが遊技者に面するように取り付けられている。
【０００３】
このようなスピーカは、例えば特許文献１に記載されており、遊技機の前側の枠体を構成する前面枠の一方側の下端部裏面にコーン型形状の振動板が対向するようにして取り付けられたものが知られている。振動板に対向する前面枠には透孔が設けられ、透孔よりも前方側には透孔に連通する音逃し穴を備えた装飾カバーが前面枠に取り付けられている。このため、スピーカから発生した音は透孔及び音逃し穴を通って遊技機の前方側に座る遊技者に伝わるようになっている。
【０００４】
【特許文献１】実開昭６３−１９５８８５号公報
【発明の開示】
【発明が解決しようとする課題】
【０００５】
このようなスピーカを備えた遊技機では、外部から針金等の異物を音逃し穴から挿入すると、針金は音逃し穴及び透孔を通ってスピーカの振動板に到達して振動板を突き破ることが可能である。従って、振動板が突き破られると、スピーカから警報音が鳴らなくなったり、警報音の音色や音量が変化したりして、スピーカが警報手段としての機能を果たすことができなくなり、その後の遊技機に対する不正行為を許して公正な遊技の提供ができなくなる虞が生じる。
【０００６】
本発明は、このような問題に鑑みてなされたものであり、スピーカの振動板が突き破られてスピーカが警報手段としての機能を失い、その後の遊技機に対する不正行為を許す事態を防止可能な遊技機を提供することを目的とする。
【課題を解決するための手段】
【０００７】
このような課題を解決するため、本発明は、以下の特徴を有する。特徴の一つは、振動板を振動させて前面から音を出力するスピーカを備えた遊技機（例えば、実施形態におけるスロットマシン１）であって、スピーカの前方から振動板に向かって異物が挿入されたか否かを検知する異物挿入検知手段（例えば、実施形態における異物挿入検知装置５０）を有し、異物挿入検知手段は、振動板の前方に回動可能に支持されてスピーカの前面を覆う通常位置で保持される回動板と、回動板が通常位置から所定角度を超えて回動したか否かを検出する回動検出手段（例えば、実施形態における回動検出器５５）とを備えることを特徴とする。
【０００８】
この特徴によれば、振動板の前方に回動可能に支持されてスピーカの前面を覆う通常位置で保持される回動板と、回動板が通常位置から所定角度を超えて回動したか否かを検出する回動検出手段とを備えた異物挿入検知手段を有することにより、スピーカの前方側から針金等の異物がスピーカに向かって遊技機内に挿入されると、異物の先端部が回動板に当たって回動板を通常位置から回動させる。そして、回動板が通常位置から所定角度を超えて回動すると、回動検出手段によって回動板が通常位置から所定角度を超えて回動したことが検出される。このため、針金等の異物の挿入によって振動板が突き破られてスピーカが音の出ない状態にされ、その後に遊技機に対して不正行為が行われようとしても、回動板が回動した時点で、異物の侵入が検出されるので、この検出信号をホールのホストコンピュータ等に送るようにしておくと、振動板の突き破り行為や遊技機に対する不正行為を未然に防止することができ、公正な遊技の提供をすることが可能になる。
【０００９】
また特徴の一つは、異物挿入検知手段の回動板は、スピーカから発生した音を通すとともに針金等の細長い異物を引っ掛けるメッシュ状の孔を多数有していることを特徴とする。
【００１０】
この特徴によれば、異物挿入検知手段の回動板は、メッシュ状の孔を多数有していることにより、スピーカから発生した音は孔を通って外部に放出される。また針金等の細長い異物がスピーカ側に挿入されると、針金は孔に引っ掛かって回動板を回動させる。このため、スピーカから発生する音の音質や音量の低下を効果的に抑制することができるとともに、異物の侵入を確実に検出することができる。
【発明の効果】
【００１１】
本発明に係わる遊技機によれば、上記特徴を有することによって、スピーカの振動板が突き破られてスピーカが警報手段として機能を失い、その後の遊技機に対する不正行為を許す事態を防止可能な遊技機を提供することができる。
【発明を実施するための最良の形態】
【００１２】
以下、本発明に係わる遊技機の好ましい実施の形態を図１から図５に基づいて説明する。尚、本実施の形態は、遊技機の一例であるスロットマシンについて説明する。
【００１３】
スロットマシン１は、図１（斜視図），図２（フロントドア内部構造図），図３（筐体内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１４】
枠組み１３は、パネル部１１の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１５】
パネル部１１の上部には、演出用の上部ランプ１１ｄ、スピーカを備えた放音部４０，４０、液晶ディスプレイ等を有した演出表示装置１１ｅが配設されている。そして、パネル部１１の中間部には、透明な硬質プラスチック板で形成された略長方形状の透過窓ＷＤと演出用ランプ１１ｆ，１１ｇが設けられ、筐体６０内に設けられたリール装置６１のリールＲ１、Ｒ２、Ｒ３を、遊技者が透過窓ＷＤを介して見ることが可能となっている。
【００１６】
パネル部１１の中間部の下側には、遊技者が操作するための操作パネル部２３が設けられ、この操作パネル部２３には各種のボタン等（メダル投入部ＭＤ、ベットボタンＢ、スタートレバーＳＴ、ストップボタンＳＰ１，ＳＰ２，ＳＰ３）が設けられている。
【００１７】
操作パネル部２３の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２３の左端には、精算ボタンＭＲが設けられ、ゲームに賭けたメダルの払い出しを指示すると共に、メダルクレジット手段（図示せず）が内部保留したメダルの払い出しの指示が可能になっている。
【００１８】
パネル部１１の下部には、本スロットマシン１のゲーム内容を紹介等するための絵（図示せず）が描かれた下パネル２５が設けられ、下パネル２５の左右両側には演出用ランプ２６が設けられている。下パネル２５の下方には、遊技メダルを払い出すためのメダル払出口１１ｈ、メダル受皿１１ｉ、放音部４１が設けられている。放音部４１の詳細については後述する。
【００１９】
フロントドア１０の裏面側の上部には、前述した放音部４０，４０のスピーカ４２，４２が設けられ、これらのスピーカ４２，４２の間には前述した演出表示装置１１ｅが設けられている。演出表示装置１１ｅの下方には、透過窓ＷＤを形成する略長方形状の枠体１９が取り付けられており、この枠体１９の下方には、メダル投入部ＭＤより投入された投入物が正規の遊技メダルか否かを判別して振り分けるメダル選別装置Ｇ０と、メダル選別装置Ｇ０で振り分けられた遊技メダルを筐体６０側に設けられたホッパ装置ＨＰへ案内するガイド部材Ｇ１と、メダル選別装置Ｇ０で振り分けられたメダルをメダル払出口１１ｈへ案内するガイド部材Ｇ２と、ホッパ装置ＨＰから出力される払い出し用のメダルをメダル払出口１１ｈへ案内するガイド部材Ｇ３が設けられている。メダル払出口１１ｈの近傍には、前述した放音部４０のスピーカ４３が取り付けられている。
【００２０】
枠体１９とメダル選別装置Ｇ０との間には、長尺状の電気回路基板で形成された中央表示基板２２が取り付けられ、この中央表示基板２２には、前述した操作パネル部２３に設けられているベットボタンＢと、スタートレバーＳＴと、ストップボタンＳＰ１，ＳＰ２，ＳＰ３等が電気的に配線接続されている。これらベットボタンＢ，スタートレバーＳＴ，ストップボタンＳＰ１，ＳＰ２，ＳＰ３の出力信号はハーネスを介して筐体６０に設けられた主制御基板２４に転送される。
【００２１】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵ内には電源装置基板２７が設けられている。リール装置６１の上端には回胴装置基板２９が取り付けられ、リール装置６１の上方には前述した主制御基板２４が取り付けられている。主制御基板２４は、不正行為を防止するための基板ケース３０内に収容されている。
【００２２】
主制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２７、回胴装置基板２９及び後述するサブ制御基板３２に所定の指令を行って夫々に分散制御を行わせることにより、本スロットマシン１全体を集中制御する。また主制御基板２４は、スロットマシン１に対して不正行為が行われたことを確認し、サブ制御基板３２を制御して放音部４１から警報音を出力させるように構成されている。なお、警報音は放音部４０，４０，４１の少なくともいずれかから出力されるようにしてもよい。さらに、主制御基板２４は、放音部４１に設けられた後述する回動検出器によって放音部４１に向かって針金等の異物が挿入されたことが検知されると、この検知信号をホールのホストコンピュータに知らせる機能を有している。
【００２３】
演出表示装置１１ｅの裏面側には、電気回路基板で形成されたサブ制御基板３２が設けられている。このサブ制御基板３２は、演出表示装置１１ｅによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板３２は、主制御基板２４からの制御信号に従って、上部ランプ１１ｄ，演出用ランプ１１ｆ，１１ｇ，２６とスピーカ４２，４３を駆動して遊技者の視覚及び聴覚に訴える演出を行い、また演出表示装置１１ｅを制御して遊技内容に応じた演出表示を行わせ、さらにスロットマシン１に対して不正行為が行われたときにスピーカ４３から警報音を出力させる。
【００２４】
このサブ制御基板３２は、不正行為を防止するための基板ケース３３内に収容されており、この基板ケース３３ごと一体として演出表示装置１１ｅの裏面側に着脱可能に取り付けられている。
【００２５】
放音部４１のスピーカ４３は、図４（分解斜視図）に示すように、コーン型形状の振動板４４を備え、スピーカ４３内に設けられたボイスコイルに電気信号が流れると、この電気信号を音波に変換するように構成されている。このスピーカ４３の前方には、図１に示すパネル部１１の下部に設けられた音逃し穴１１ｊから振動板４４に向かって針金等の異物が挿入されたか否かを検知する異物挿入検知装置５０が配設されている。
【００２６】
この異物挿入検知装置５０は、図５（正面図）を更に追加して説明すると、振動板４４の前方に配設されて角筒状に形成された支持体５１と、支持体５１内に回動自在に配設されてスピーカ４３の前面を覆うように略垂直状態になる位置（以下、通常位置Ｐｎと記す。）で保持される回動板５３と、回動板５３の両端部に取り付けられた回動軸５３ａに設けられて回動板５３が通常位置Ｐｎから所定角度を超えて回動したか否かを検出する回動検出器５５とを備えてなる。
【００２７】
支持体５１は、一端側の開口部５１ａをスピーカ４３の振動板４４に対向配置するとともに、支持体５１の一端側端部をスピーカ４３の前端部に近接配置して設置される。支持体５１の開口部５１ａは、スピーカ４３の振動板４４の前面を包含する大きさを有している。なお、支持体５１は、その開口部５１ａが振動板４４の前面を包含するものであれば円筒状に形成されたものでもよい。
【００２８】
回動板５３は円板状に形成されており、一対の回動軸５３ａは、回動板５３の中心を通る直線上に配設されて径方向外側に延出している。これらの回動軸５３ａは、支持体５１内に所定間隔を有して設けられた一対の回動支持部５９によって回動自在に支持されている。これらの回動支持部５９によって支持された回動板５３は、一対の回動軸５３ａよりも下側部分５３ｂが上側部分５３ｃよりも重くなるように形成されている。このため、回動板５３が何ら付勢されていない自然状態にあるときには、重さの重い下側部分５３ｂが一対の回動軸５３ａよりも下方に位置して、回動板５３は略垂直方向に延びた通常位置Ｐｎに保持される。
【００２９】
回動板５３には、スピーカ４３から発生した音を通すとともに針金等の細長い異物を引っ掛けるメッシュ状の孔５３ｄが多数設けられている。孔５３ｄの大きさは、スピーカ４３の振動板４４を突き破ることが可能な径を有した針金の径と略同一径又はそれより小径である。このため、回動板５３の前方からスピーカ４３に向かって振動板４４を突き破ることが可能な針金がスロットマシン１内に挿入されると、針金の先端部は回動板５３の孔５３ｄに引っ掛かり、針金がスピーカ側へさらに挿入されると、回動板５３は付勢されて回動する。
【００３０】
このように構成された回動板５３に回動検出器５５が取り付けられている。回動検出器５５は、回動支持部５９に取り付けられて回動板５３の通常位置Ｐｎからの回動角度を検出する回動センサ（例えば、ポテンショメータ）５６と、回動センサ５６の検出信号に基づいて回動板５３が通常位置Ｐｎから所定角度を超えて回動したか否かを検知し、回動板５３が通常位置Ｐｎから所定角度を超えて回動したことを検知するとスピーカ４３に向かって針金等の異物が挿入された旨の検知信号を主制御基板２４に送る検知部５７とを有してなる。
【００３１】
なお、検知部５７は、所定角度の調整が任意角度に変更可能に構成されている。所定角度を設定することで、回動板５３が振動等によって回動して針金等の異物が挿入された旨の誤検知がされる事態を未然に防止することができる。
【００３２】
このように、スピーカ４３の前方に異物挿入検知装置５０を設けることにより、針金等の細長い異物が前述した音逃し穴１１ｊから挿入されると、針金が回動板５３に当たって引っ掛かり、さらなる針金の挿入によって回動板５３が回動すると、回動センサ５６によって回動板５３の回動角度が検出される。そして、回動板５３の回動角度が通常位置Ｐｎから所定角度を超えると、検知部５７は、スピーカ４３に向かって針金等の異物が挿入された旨の検知信号を前述した主制御基板２４に送る。そして、主制御基板２４は、この検知信号を受け取ると、スピーカ４３の前方に異物が挿入されたことを、ホールのホストコンピュータに知らせる。
【００３３】
このため、針金等の異物の挿入によってスピーカ４３の振動板４４が突き破られてスピーカ４３が音の出ない状態にされ、その後に主制御基板２４，サブ制御基板３２，電源装置基板２７等に対して不正行為が行われようとしても、回動板５３が回動した時点で、スピーカ４３の前方に異物が挿入されたことがホールのホストコンピュータに知らされるので、その後の主制御基板２４等に対する不正行為を未然に防止することができ、公正な遊技の提供をすることが可能である。
【００３４】
なお、前述した実施例では、スロットマシン１を例にしたが、パチンコやゲームセンタで用いられているゲーム機などを対象にしてもよい。
【図面の簡単な説明】
【００３５】
【図１】本発明の一実施の形態に係わるスロットマシンの斜視図を示す。
【図２】このスロットマシンのフロントドアを開けた状態におけるフロントドアの内部構造図を示す。
【図３】このスロットマシンのフロントドアを開けた状態における筐体の内部構造図を示す。
【図４】本発明の一実施の形態に係わるスロットマシンのスピーカの前方に配設された異物挿入検知装置の分解斜視図を示す。
【図５】本発明の一実施の形態に係わるスロットマシンのスピーカの前方に配設された異物挿入検知装置の正面図を示す。
【符号の説明】
【００３６】
１  スロットマシン（遊技機）
４３  スピーカ
４４  振動板
５０  異物挿入検知装置（異物挿入検知手段）
５３  回動板
５３ｄ  孔
５５  回動検出器（回動検出手段）
Ｐｎ  通常位置
【図１】
2009101065.tif 000003
【図２】
2009101065.tif 000004
【図３】
2009101065.tif 000005
【図４】
2009101065.tif 000006
【図５】
2009101065.tif 000007